(57)【要約】【課題】機内の結露の発生を抑制する除湿制御機能を備える装置を提供する。【解決手段】装置は、機外温度を検出する第１温度検出部４０８と、機外の湿度を検出する湿度検出部４０９と、機内温度を検出する第２温度検出部４１３と、内部の結露を防止するための第１除湿ヒータ及び第２除湿ヒータ１０５と、を備える。装置は、機外温度及び湿度に基づいて結露が発生する露点温度を算出し、機内温度と露点温度との温度差が所定温度差以下になると、第１除湿ヒータ及び第２除湿ヒータ１０５を動作させる。【選択図】図５
2019124824.tif 000002
【特許請求の範囲】
【請求項１】
装置の機外温度を検出する第１温度検出手段と、
前記装置の機外の湿度を検出する湿度検出手段と、
前記装置の機内温度を検出する第２温度検出手段と、
前記装置の内部の結露を防止するための除湿手段と、
前記機外温度及び前記湿度に基づいて結露が発生する露点温度を算出し、前記機内温度と前記露点温度との温度差が所定温度差以下になると、前記除湿手段を動作させる制御手段と、を備えることを特徴とする、
装置。
【請求項２】
前記制御手段は、前記機外温度が所定温度より高い場合、前記除湿手段を動作させないことを特徴とする、
請求項１記載の装置。
【請求項３】
前記除湿手段は、発熱するヒータを備えることを特徴とする、
請求項１又は２記載の装置。
【請求項４】
前記制御手段は、メインスイッチがオフのときに電力を供給して前記除湿手段を動作させ、前記メインスイッチがオンになると、電力の供給を遮断して前記除湿手段を停止させることを特徴とする、
請求項１〜３のいずれか１項記載の装置。
【請求項５】
前記制御手段は、前記除湿手段を停止させた後の前記機外温度及び前記湿度に基づいて、前記露点温度を算出することを特徴とする、
請求項４記載の装置。
【請求項６】
前記制御手段は、前記除湿手段を停止させた後の所定時間だけ、前記露点温度を算出して、前記機内温度と前記露点温度との温度差が前記所定温度差以下になると前記除湿手段を動作させる処理を繰り返し行うことを特徴とする、
請求項４又は５記載の装置。
【請求項７】
原稿から画像を読み取る読取手段をさらに備えており、
前記制御手段は、前記機内温度と前記露点温度との温度差が前記所定温度差以下になって前記除湿手段を動作させた後に、前記読取手段による前記画像の読み取りがリクエストされると、前記除湿手段を停止させてから前記読取手段に前記画像を読み取らせることを特徴とする、
請求項１〜６のいずれか１項記載の装置。
【請求項８】
前記制御手段は、前記読取手段による処理が終了すると、停止させた前記除湿手段を再び動作させることを特徴とする、
請求項７記載の装置。
【請求項９】
前記第２温度検出手段は、前記読取手段に設けられるサーミスタであることを特徴とする、
請求項７又は８記載の装置。
【請求項１０】
装置の機外温度を検出する第１温度検出手段と、前記装置の機外の湿度を検出する湿度検出手段と、前記装置の機内温度を検出する第２温度検出手段と、前記装置の内部の結露を防止するための除湿手段と、を備える装置に依り実行される方法であって、
前記機外温度及び前記湿度に基づいて結露が発生する露点温度を算出して所定の記憶手段に記憶しておき、
前記機内温度と前記露点温度との温度差が所定温度差以下になると、前記除湿手段を動作させることを特徴とする、
結露防止方法。
【発明の詳細な説明】
【技術分野】
【０００１】
本発明は、機内の結露の発生を抑制する除湿制御機能を備える画像形成装置に関する。
【背景技術】
【０００２】
ファクシミリ装置、複写機、ＭＦＰ（Multifunction Peripheral）等の画像形成装置は、装置の設置環境に応じて結露が発生することがある。結露は、例えば、夜間から朝方の冷え込みと、オフィスにおいて始業時に空調設備が稼働することによる室温の急激な上昇と、に起因して発生する。画像形成装置は、結露対策として、内部に除湿を目的とした発熱装置である除湿ヒータを備えることがある。除湿ヒータは、例えば夜間に画像形成装置のメインスイッチがオフされたときに給電されて、翌朝に画像形成装置のメインスイッチがオンされるまでの間、機内を加温する。画像形成装置の内部は、除湿ヒータにより暖められて、飽和水蒸気圧が高い状態で維持される。
【０００３】
画像形成装置の内部温度は、画像形成装置のメインスイッチがオンされて除湿ヒータへの給電が停止されると、除湿ヒータによる保温効果がなくなって徐々に低下する。この画像形成装置の内部温度の低下は、画像形成装置の大部分が夜間から朝方に掛けて除湿ヒータにより暖められている部分を除いて極端に冷めた状態になっていることに起因する。即ち、全体的に冷え切った画像形成装置の本体が、機内温度の低下を助長している。機内温度の低下は、画像形成装置のメインスイッチがオンされたことによって通電される画像形成装置内の制御モジュールの自己発熱で抑制される。制御モジュールの発熱量は、除湿ヒータに比べると少ない。しかし、制御モジュールの自己発熱は、所定の時間を掛けて機内温度を一定温度まで上昇させることで、結露の発生を抑制する。
【０００４】
特許文献１は、新たなセンサを設けることなく、従来から設けられるセンサを用いて結露の発生しやすい環境になったことを判断する画像形成装置を開示する。この画像形成装置は、設置場所の環境温度や湿度を測定するための環境センサと、機内の温度を測定するための温度センサと、ヒータやファンと、ヒータやファンを駆動制御する制御部と、を備える。制御部は、露点温度テーブルを格納しており、該露点温度テーブルを参照して、環境温度や湿度の関係に応じた露点温度を特定する。制御部は、温度センサの測定温度から機内温度を算出する。制御部は、機内温度が、例えば露点温度より低いときにヒータやファンを駆動し、高いときヒータやファンの駆動を停止する。
【先行技術文献】
【特許文献】
【０００５】
【特許文献１】特開２００５−１８１７７９号公報
【発明の概要】
【発明が解決しようとする課題】
【０００６】
画像形成装置は、低温、高湿度になる場所に長時間放置された後に、空調等により周囲の温度が急上昇すると、筐体内に結露が生じる。特に筐体等の金属部分やガラス部分等は、低温、高湿度の場所で温度が低くなっており、筐体の隙間から流入する暖まった空気を冷やしてしまう。暖まった空気の温度が冷やされることで、機内の飽和水蒸気量が低下して、低下分に相当する水分が金属面やガラス面等に結露として生じる。特に、原稿走査に用いる部位に生じた結露は、画像の読み取りに影響して、形成する画像の不良の原因となる。そのために低温、高湿度になりやすい地域に出荷される画像形成装置は、結露防止用の除湿ヒータが設けられて、結露が生じにくくなっている。
【０００７】
除湿ヒータは、画像形成装置内の取り付け場所に制約がある。そのために、除湿ヒータは、結露が発生してほしくない部品の近くに取り付けられるとは限らず、当該部品を直接加熱するとは限らない。メインスイッチがオフの場合に除湿ヒータを稼働し、メインスイッチがオンの場合に除湿ヒータを停止する様な排他制御が行われる場合、除湿ヒータの停止に伴い画像形成装置の機内温度の低下が進む。メインスイッチがオンされたことによる画像形成装置の各部品の自己発熱量は、除湿ヒータより少ない。そのために除湿ヒータが停止する前の温度まで機内温度を戻すには、時間が掛かる。画像形成装置の機内温度が元に戻る前に、空調制御によって急激に暖められた外気が画像形成装置内に流入すると、上記の通り、機内に流入した暖まった空気が冷まされることによって、流入した空気の飽和水蒸気圧が低下する。そのために画像読取装置の金属フレームや、プラテンガラス、流し読みガラス、光学部品等に結露が発生してしまう。
【０００８】
本願発明は、上記の問題に鑑み、機内の結露の発生を抑制する除湿制御機能を備える装置を提供することを主たる目的とする。
【課題を解決するための手段】
【０００９】
本発明の装置は、装置の機外温度を検出する第１温度検出手段と、前記装置の機外の湿度を検出する湿度検出手段と、前記装置の機内温度を検出する第２温度検出手段と、前記装置の内部の結露を防止するための除湿手段と、前記機外温度及び前記湿度に基づいて結露が発生する露点温度を算出し、前記機内温度と前記露点温度との温度差が所定温度差以下になると、前記除湿手段を動作させる制御手段と、を備えることを特徴とする。
【発明の効果】
【００１０】
本発明によれば、機内の結露の発生を未然に防止することができる。
【図面の簡単な説明】
【００１１】
【図１】画像形成装置の外観図。
【図２】画像読取装置の構成説明図。
【図３】キャリッジの構成説明図。
【図４】（ａ）、（ｂ）は結露の発生位置の説明図。
【図５】コントローラの構成図。
【図６】画像読取装置への電力供給図。
【図７】（ａ）〜（ｃ）は第１温度検出部及び湿度検出部の特性説明図。
【図８】飽和水蒸気圧の近似式の説明図。
【図９】飽和水蒸気圧曲線の例示図。
【図１０】（ａ）〜（ｃ）は結露防止処理を表すフローチャート。
【図１１】画像読取装置の他の構成例示図。
【発明を実施するための形態】
【００１２】
本実施形態の画像形成装置について、図面を参照しながら詳細に説明する。
【００１３】
（構成）
図１は、本実施形態の画像形成装置の外観図である。画像形成装置４１８は、原稿から画像を読み取る画像読取装置１０１、画像読取装置１０１へ原稿を搬送する原稿搬送装置（ＡＤＦ：Auto Document Feeder）４１７、及び操作部６０１が取り付けられている。
【００１４】
操作部６０１は、操作パネル６０２、入力キー６０３等を備えるユーザインタフェースである。ユーザは、操作部６０１により画像形成装置４１８の動作の設定（コピー枚数、両面印刷等）を行うことができる。操作パネル６０２は、ディスプレイとして機能し、装置状態（トナー無し状態、シート無し状態等）の表示が可能である。操作パネル６０２は、タッチパネルとして機能してもよい。入力キー６０３が押下されることで、画像形成装置４１８、画像読取装置１０１、及び原稿搬送装置４１７が動作を開始する。
【００１５】
原稿搬送装置４１７は、１枚以上の原稿を載置可能な原稿トレイ６０５を備える。原稿搬送装置４１７は、原稿トレイ６０５に積載された原稿を１枚ずつ画像読取装置１０１の読取位置へ搬送する。画像読取装置１０１は、原稿搬送装置４１７から搬送される原稿を読み取る。画像読取装置１０１は、読み取った原稿の画像を表す画像データを生成して、画像形成装置４１８へ送信する。原稿は、原稿搬送装置４１７から搬送される他に、後述の原稿台ガラス上に載置されて画像読取装置１０１に読み取られてもよい。画像形成装置４１８は、画像データに応じた画像をシートに形成し、画像形成後のシートを排紙部６０７に排出する。
【００１６】
画像形成装置４１８は、トナー交換やジャム処理時に開放される前扉６０４を備える。画像形成装置４１８は、前扉６０４内側の機内の温度の影響を受け難く且つ外気に近い位置に、第１温度検出部４０８及び湿度検出部４０９を備える。本実施形態では、第１温度検出部４０８及び湿度検出部４０９が小基板にアセンブリされた一体型ユニットとして提供される。
【００１７】
図２は、画像読取装置１０１の構成説明図である。画像読取装置１０１は、原稿から画像を読み取るための読取部であるキャリッジ２０１を備える。画像読取装置１０１は、原稿搬送装置４１７が設けられる面に、原稿台ガラス１０３及び流し読みガラス１０２を備える。原稿は、原稿台ガラス１０３に、読み取られる面を画像読取装置１０１側に向けて載置される。流し読みガラス１０２は、原稿搬送装置４１７により搬送される原稿を読み取るときの読取位置になる。
【００１８】
キャリッジ２０１は、摺動軸１０９上に摺動部材１１０を介して設けられており、摺動軸１０９の方向に沿って摺動可能に構成されている。画像読取装置１０１は、キャリッジ２０１を摺動するためにモータ１０６、プーリー１０７、及びタイミングベルト１０８を備える。タイミングベルト１０８は、プーリー１０７に巻き回されてキャリッジ２０１の底面に設けられる不図示の挟み込み部材に固定される。モータ１０６の駆動力は、プーリー１０７によりタイミングベルト１０８に伝達される。タイミングベルト１０８は、モータ１０６から伝達された駆動力により回転し、キャリッジ２０１を摺動軸１０９の方向に摺動させる。
【００１９】
キャリッジ２０１は、カードケーブル１１４により画像形成装置４１８に設けられる後述の画像処理部に接続される。カードケーブル１１４は、電源ライン及びシリアル通信ラインを含み、電源電圧の供給及び信号伝送を行う。カードケーブル１１４は、樹脂製のカードケーブルガイド１１３に嵌め込まれる。これによりカードケーブル１１４は、画像読取装置１０１の金属フレームに対して所定の距離だけ離れて配線される。
【００２０】
キャリッジ２０１は、摺動軸１０９上を移動しながら原稿台ガラス１０３上に載置される原稿を走査することで該原稿の原稿画像を読み取る。キャリッジ２０１は、原稿画像の読取結果を、カードケーブル１１４を介して画像処理部に送信する。キャリッジ２０１は、走査終了後にホームポジションへ移動する。ホームポジションにはホームポジション（ＨＰ）センサ１１１が配置される。キャリッジ２０１は、フラグ１１２を備える。キャリッジ２０１がホームポジションに移動することで、フラグ１１２がＨＰセンサ１１１を通過する。フラグ１１２がＨＰセンサ１１１通過することで、キャリッジ２０１の原稿走査制御が完了する。
流し読みガラス１０２は、原稿搬送装置４１７から搬送された原稿の読取位置である。原稿は、一定速度で流し読みガラス１０２上を搬送される。キャリッジ２０１は、原稿搬送装置４１７から搬送された原稿を読み取る場合に、流し読みガラス１０２の下に位置して移動しない。
キャリッジ２０１の構成の詳細は後述するが、原稿画像読取時の主走査方向は、摺動軸１０９の軸方向に直交する方向である。摺動軸１０９の軸方向が副走査方向になる。
【００２１】
画像読取装置１０１は、原稿台ガラス１０３上に載置された原稿の副走査方向のサイズを検出するために、反射型センサ１１５、１１６を備える。画像読取装置１０１は、内部に複数の除湿ヒータ、本実施形態では第１除湿ヒータ１０４及び第２除湿ヒータ１０５を備える。第１除湿ヒータ１０４及び第２除湿ヒータ１０５は、画像読取装置１０１内部の結露を防止のために設けられる。第１除湿ヒータ１０４及び第２除湿ヒータ１０５の制御については後述する。
【００２２】
図３は、キャリッジ２０１の構成説明図である。キャリッジ２０１は、読み取り時に原稿に光を照射するための、照明部２０５、導光体２０６、及び反射ミラー２０７を備える。照明部２０５は、例えば複数のＬＥＤ（Light Emitting Diode）素子を放熱性の高い基板２１６上に配列して構成される。
【００２３】
複数のＬＥＤ素子の照射光は、導光体２０６に漏れなく照射され、導光体２０６内で主走査方向に光量が均等になるように均される。照射光は、導光体２０６から直接原稿に照射される照射光２１８と、反射ミラー２０７により反射されて原稿に照射される照射光２１７と、に分けられる。これは、原稿に対して副走査方向の両側から光を照射することで、切り貼り原稿等の読取面に凹凸のある原稿であっても、読み取った画像に影を生じさせないためである。照射光２１７、２１８は原稿台ガラス１０３上に載置された原稿２０９によって反射される。
【００２４】
キャリッジ２０１は、原稿２０９による反射光を受光する光電変換部２０３と、反射光を光電変換部２０３に導く光学系と、を備える。光学系は、反射ミラー２１０、２１１、２１２、２１３、２１４及び集光レンズ２０４を備える。光電変換部２０３は、複数の受光素子２１５により構成され、光電変換基板２０２に実装される。モノクロ専用の場合、光電変換部２０３は、カラーフィルタの無い受光素子２１５の列により構成される。カラー画像を読み取り可能な場合、光電変換部２０３は、Ｒ（赤）、Ｇ（緑）、Ｂ（青）のカラーフィルタを搭載した３ラインの受光素子２１５の列、或いはこの３ラインに黒受光用の受光素子２１５の列を含む４ラインの受光素子２１５により構成される。受光素子２１５は、主走査方向に直線状の１ラインを構成する。反射ミラー２１０、２１１、２１２、２１３、２１４により導かれた反射光は、集光レンズ２０４により受光素子２１５の受光面に結像する。なお光電変換基板２０２には、光電変換部２０３の他に、キャリッジ２０１の動作を制御するための複数の部品が実装される。光電変換基板２０２の詳細については後述する。
【００２５】
図４は、画像読取装置１０１内の結露の発生位置の説明図である。図４（ａ）は、画像読取装置１０１の筐体内の結露の発生位置３０１、３０２を明示する。発生位置３０１、３０２は、いずれも原稿台ガラス１０３である。結露は、原稿台ガラス１０３の機内側の面に発生する可能性がある。流し読みガラス１０２も同様に、機内側の面に結露が発生する可能性がある。
図４（ｂ）は、キャリッジ２０１内部の結露の発生位置３０３〜３０９を明示する。発生位置３０３〜３０７は、いずれも反射ミラー２１０〜２１４のミラー面全域である。発生位置３０８は、集光レンズ２０４のレンズ表面である。発生位置３０９は、光電変換部２０３の受光素子２１５を封止するために設けられるガラスである。結露は、これらの発生位置３０３〜３０９に発生する可能性がある。
【００２６】
結露が生じた場合、原稿への照射光及び反射光は、原稿台ガラス１０３を透過できなくなる。また、反射光が反射ミラー２１０〜２１４で乱反射する。そのために画像読取装置１０１は、原稿を光学的に正確に走査できなくなる。この場合、画像読取装置１０１は、結露が完全に無くなるまで原稿を読み取ることができなくなる。そのために画像形成装置４１８は、画像読取装置１０１を用いた複写などができなくなり、ダウンタイムが発生する。第１除湿ヒータ１０４及び第１除湿ヒータ１０５は、このような結露の発生を防止する。
【００２７】
（コントローラ）
図５は、画像形成装置４１８、画像読取装置１０１、及び原稿搬送装置４１７の動作を制御するコントローラの構成図である。なお、図５は、画像形成装置４１８のシートへの画像形成に関する構成について省略してある。
【００２８】
画像形成装置４１８は、メインコントローラ４０５及びＤＣコントローラ４０６を備える。ＤＣコントローラ４０６には、第１温度検出部４０８及び湿度検出部４０９が接続される。メインコントローラ４０５は、システムコントローラ４０１、画像処理部４０２、及びモータドライバ４１９を備える。システムコントローラ４０１は、画像形成装置４１８の動作を制御する。画像処理部４０２は、画像読取装置１０１及び原稿搬送装置４１７にカードケーブル１１４により接続される。
【００２９】
画像処理部４０２は、キャリッジ２０１を移動させるためのモータ１０６の駆動制御を、モータドライバ４１９により行う。画像処理部４０２は、画像読取装置１０１が読み取った原稿の画像に対して所定の画像処理を行う。画像処理部４０２は、ＨＰセンサ１１１の検出結果を取得して、この検出結果に応じてモータ１０６の駆動制御を行うことで、キャリッジ２０１の位置制御を行う。ＨＰセンサ１１１がオープンコレクタ出力タイプである場合、画像処理部４０２とＨＰセンサ１１１との結線にプルアップ抵抗が設けられる。
【００３０】
画像処理部４０２は、原稿搬送装置４１７が備えるドライバ４１４を駆動制御して、原稿搬送装置４１７による原稿の搬送制御を行う。ドライバ４１４は、原稿を搬送する搬送ローラ等の搬送部を駆動する給紙モータ４１５及びレジモータ４１６の駆動制御を行う。給紙モータ４１５及びレジモータ４１６は、例えば搬送ローラを回転させることで原稿を搬送制御する。
【００３１】
画像処理部４０２は、例えばＡＳＩＣ（Application Specific Integrated Circuit）により構成される。画像処理部４０２は、ＡＲＭ（登録商標）４０４、ＲＯＭ（Read Only Memory）４２０、及びＲＡＭ（Random Access Memory）４２１を備える。ＡＲＭ（登録商標）４０４は、ＣＰＵ（Central Processing Unit）アーキテクチャーに相当する。ＡＲＭ（登録商標）４０４は、ＲＯＭ４２０に格納されるコンピュータプログラムを、ＲＡＭ４２１を作業領域に用いて実行することで、画像読取装置１０１の及び原稿搬送装置４１７の動作を制御する。なお画像処理部４０２は、本実施形態ではメインコントローラ４０５に含まれるが、画像読取装置１０１側に設けられた構成であってもよい。
【００３２】
画像処理部４０２は、キャリッジ２０１の動作を制御して、原稿の走査（読取）を実行する。画像処理部４０２は、キャリッジ２０１を構成する光電変換基板２０２にカードケーブル１１４を介して接続される。光電変換基板２０２は、光電変換部２０３の他に、直流（ＤＣ）電源４１０、ＡＦＥ（Analog Front End）４１１、及び照明制御部４１２を備える。画像読取装置１０１は、光電変換部２０３及びＡＦＥ４１１のいずれか一方に、サーミスタを組み込んだ第２温度検出部４１３を有する。本実施形態では、光電変換部２０３に第２温度検出部４１３が設けられる。第２温度検出部４１３は、画像読取装置１０１内の温度検出に用いられる。このような構成により、画像読取装置１０１は、温度センサの新規追加に伴うコストアップを事実上無くし、実装位置の制約を受けることなく、第２温度検出部４１３を搭載可能となる。
【００３３】
画像処理部４０２は、ＤＣ電源４１０に５［Ｖ］以上の電圧（本実施形態では６［Ｖ］）を供給する。５［Ｖ］以上とするのは、伝送距離に応じた電位ドロップを補填するためである。画像処理部４０２は、照明制御部４１２が備える不図示の昇圧回路に１２［Ｖ］の電圧を供給する。照明制御部４１２は、供給される１２［Ｖ］の電圧から、照明部２０５に給電する３８［Ｖ］の電圧を生成する。画像処理部４０２は、光電変換部２０３及びＡＦＥ４１１との間でシリアル通信を行う。画像処理部４０２は、光電変換部２０３から原稿の画像の読取結果（アナログ画像信号）を取得して、ＡＦＥ４１１により、このアナログ画像信号の画像処理を行う。画像処理部４０２は、ＡＦＥから画像処理によりアナログ画像信号から変換されたデジタル画像信号を取得する。
【００３４】
システムコントローラ４０１は、ＣＰＵ４０３、ＲＯＭ４２２、及びＲＡＭ４２３を備える。ＣＰＵ４０３は、ＲＯＭ４２２に格納されるコンピュータプログラムを、ＲＡＭ４２３を作業領域に用いて実行することで、画像形成装置４１８の画像形成処理を制御する。システムコントローラ４０１は、操作部６０１から入力される指示等に応じて、画像読取装置１０１や画像形成装置４１８の動作指示を、画像処理部４０２やＤＣコントローラ４０６に送信する。システムコントローラ４０１は、画像形成処理の際に、例えば画像形成装置４１８内の不図示の露光器のレーザ光による感光体の走査を制御する。
【００３５】
ＤＣコントローラ４０６は、ＣＰＵ４０７、ＲＯＭ４２４、及びＲＡＭ４２５を備える。ＣＰＵ４０７は、ＲＯＭ４２４に格納されるコンピュータプログラムを、ＲＡＭ４２５を作業領域に用いて実行することで、画像形成装置４１８のシート搬送、高圧、及び定着処理を制御する。ＤＣコントローラ４０６は、第１温度検出部４０８及び湿度検出部４０９に接続される。ＤＣコントローラ４０６は、第１温度検出部４０８及び湿度検出部４０９の検出結果を個別に取得して、システムコントローラ４０１へ取得した検出結果を送信する。
【００３６】
図６は、画像読取装置１０１への電力供給図である。ここでは、第１除湿ヒータ１０４及び第２除湿ヒータ１０５の動作制御についても説明する。画像形成装置４１８は、商用電源５０１から供給される電力により動作する。画像形成装置４１８は、メインスイッチ５０４を備え、メインスイッチ５０４がオンされることで起動する。画像形成装置４１８は、商用電源５０１からの電力の供給経路に、交流（ＡＣ）フィルタ５０２、常夜電源５０３、第１リレー５０５、メイン電源５０６、及び第２リレー５０７を備える。
【００３７】
商用電源５０１は、ＡＣフィルタ５０２を介して常夜電源５０３、第１リレー５０５、及び第２リレー５０７に電力を供給する。第１リレー５０５は、メインスイッチ５０４がオフされた状態では遮断状態である。第２リレー５０７は、メインスイッチ５０４がオフされた状態では導通状態である。常夜電源５０３は、夜間等でメインスイッチ５０４がオフされた状態であっても、画像形成装置４１８がファクシミリ受信や印刷ジョブの要求等の各種ジョブを受け付けた際に起動するための電力を供給する。常夜電源５０３は、ＤＣコントローラ４０６及びシステムコントローラ４０１へ電力を供給する。ＤＣコントローラ４０６及びシステムコントローラ４０１は、メインスイッチ５０４がオフされた状態で各種ジョブを受け付けた際に、常夜電源５０３から供給される電力により起動する。
【００３８】
ＤＣコントローラ４０６は、常夜電源５０３から供給される電力により起動すると、第１リレー５０５を導通状態に切り替える。第１リレー５０５が導通状態になることで、商用電源５０１からメイン電源５０６に電力が供給される。メイン電源５０６は、商用電源５０１から供給される電力により、例えばＤＣ２４［Ｖ］、ＤＣ３８［Ｖ］、ＤＣ１２［Ｖ］、ＤＣ５［Ｖ］等の内部電圧を生成して、ＤＣコントローラ４０６及びシステムコントローラ４０１に供給する。これによりＤＣコントローラ４０６及びシステムコントローラ４０１は、通常の動作が可能となる。
【００３９】
第２リレー５０７は、商用電源５０１から供給される電力の第１除湿ヒータ１０４及び第２除湿ヒータ１０５への供給制御を行う。第２リレー５０７の導通、遮断を制御することで、第１除湿ヒータ１０４及び第２除湿ヒータ１０５による除湿が制御される。この除湿制御により、画像読取装置１０１内の結露が防止される。ＤＣコントローラ４０６は、常夜電源５０３から電力が供給される場合に、第２リレー５０７を導通状態にして、第１除湿ヒータ１０４及び第２除湿ヒータ１０５に給電する。ＤＣコントローラ４０６は、メイン電源５０６から電力が供給される場合に、第２リレー５０７を遮断状態にして、第１除湿ヒータ１０４及び第２除湿ヒータ１０５への給電を遮断する。
【００４０】
第３リレー５０８は、画像読取装置１０１のＤＣ電源４１０及び原稿搬送装置４１７のドライバ４１４への給電制御を行う。ＤＣコントローラ４０６は、画像読取装置１０１及び原稿搬送装置４１７を動作させる際に、第３リレー５０８を導通状態にして、画像読取装置１０１及び原稿搬送装置４１７に給電する。
【００４１】
省電力制御のために、画像処理部４０２及び原稿搬送装置４１７への電力供給は、未使用時に制限される。例えば画像形成装置４１８が画像形成処理を連続して行う場合、画像読取装置１０１及び原稿搬送装置４１７は、原稿の画像読取処理を行わない。この場合、ＤＣコントローラ４０６は、第３リレー５０８を遮断状態にして画像読取装置１０１及び原稿搬送装置４１７への電力の供給を停止する。システムコントローラ４０１は、ＤＣＤＣ電源５１６により画像処理部４０２の内部用に生成されたＤＣ電圧の画像処理部４０２への供給を停止する。
【００４２】
画像読取装置１０１及び原稿搬送装置４１７へ電力供給を行う場合、ＤＣコントローラ４０６は、第２リレー５０７を遮断状態にして第１除湿ヒータ１０４及び第２除湿ヒータ１０５への給電を遮断する。第１除湿ヒータ１０４及び第２除湿ヒータ１０５への給電を遮断することで、原稿読取時の消費電力を低減することができる。連続して原稿を読み取る場合、画像読取装置１０１は、通電により内部が昇温する。そのために、第１除湿ヒータ１０４及び第２除湿ヒータ１０５への給電を遮断しても、画像読取装置１０１の内部は、急激に温度が低下しない。
【００４３】
（温度及び相対湿度）
図７は、第１温度検出部４０８及び湿度検出部４０９の特性説明図である。図７（ａ）は、ＤＣコントローラ４０６と第１温度検出部４０８及び湿度検出部４０９の接続状態を例示する。ＤＣコントローラ４０６は、アナログ信号をデジタル信号に変換する、第１ＡＤコンバータ４０６１及び第２ＡＤコンバータ４０６２を備える。第１ＡＤコンバータ４０６１は、第１温度検出部４０８の検出結果をデジタル信号に変換する。第２ＡＤコンバータ４０６２は、湿度検出部４０９の検出結果をデジタル信号に変換する。
【００４４】
図７（ｂ）は、第１温度検出部４０８の特性を例示する。第１温度検出部４０８は、温度特性７０４が、温度と第１温度検出部４０８から出力される検出結果（出力電圧）との関係で表される。図７（ｂ）では、温度が−４０［℃］〜１００［℃］の範囲で１０［℃］間隔の出力電圧により、温度特性７０４が表される。
図７（ｃ）は、湿度検出部４０９の特性を例示する。湿度検出部４０９は、湿度特性７０９が、相対湿度と湿度検出部４０９から出力される検出結果（出力電圧）との関係で表される。図７（ｃ）では、相対湿度が５［％ＲＨ］〜１００［％ＲＨ］の範囲で１０［％ＲＨ］間隔の出力電圧により、湿度特性７０９が表される。
【００４５】
ＤＣコントローラ４０６は、第１温度検出部４０８の検出結果のデジタル信号と、温度特性７０４とにより、画像形成装置４１８の外の温度を検出する。ＤＣコントローラ４０６は、湿度検出部４０９の検出結果のデジタル信号と、湿度特性７０９とにより、画像形成装置４１８の外の相対湿度を検出する。そのためにＤＣコントローラ４０６は、温度特性７０４及び湿度特性７０９を、例えばＲＡＭ４２５に予め格納している。
【００４６】
（結露する水分量）
図８は、飽和水蒸気圧の近似式の説明図である。飽和水蒸気圧を気温から算出する方法として、Tetensの近似式やWagnerの近似式が知られている。湿度は、大気中に含まれる水蒸気量を示す。日常生活で使用する湿度は、相対湿度である。相対湿度は、大気中に含まれる水蒸気量の、飽和水蒸気量に対する割合を％表示したものである。飽和水蒸気量は、１ｍ3の空気中に含むことができる水蒸気の質量（ｇ）である。飽和水蒸気量は、温度に応じて増加する。温度ｔ［℃］における飽和水蒸気量ａ（ｔ）は以下の式（１）で算出される。
ａ（ｔ）＝２１７・ｅ（ｔ）／（ｔ＋２７３．１５）    …（１）
ｅ（ｔ）：飽和水蒸気圧［ｈＰａ］
【００４７】
なお、飽和水蒸気圧を算出するためのTetensの近似式やWagnerの近似式は、以下に示す式（２）、式（３）である。
・Tetensの近似式
ｅ（ｔ）＝６．１０７８×１０{7.5t /(t+237.3)}    …（２）
・Wagnerの近似式
ｅ（ｔ）＝ＰＣ×ｅ｛(A×X+B×X^1.5+C×X^3+D×X^6)/(1-X)｝    …（３）
ＰＣ：２２１２００［ｈＰａ］
ＴＣ：６４７．３［Ｋ］
Ｘ：１−（ｔ＋２７３．１５）／ＴＣ
Ａ：−７．７６４５１
Ｂ：１．４５８３８
Ｃ：−２．７７５８
Ｄ：−１．２３３０３
【００４８】
図８は、２つの近似式（式（２）、式（３））により算出される飽和水蒸気圧曲線を例示する。図８では、気温が−２０［℃］〜１００［℃］の範囲で１０［℃］間隔の飽和水蒸気圧［ｈｐａ］により、飽和水蒸気圧曲線８０３、８０４が表される。飽和水蒸気圧曲線８０３は、Telensの近似式から算出される。飽和水蒸気圧曲線８０４は、Wagnerの近似式から算出される。飽和水蒸気圧曲線８０３と飽和水蒸気圧曲線８０４とは、概ね重なっている。そのために、いずれの式を用いても、算出される飽和水蒸気量に大差はない。本実施形態では、Tetensの近似式を用いて飽和水蒸気圧を算出して、第１除湿ヒータ１０４及び第２除湿ヒータ１０５の制御を行う。
【００４９】
Tetensの近似式を選ぶ理由は以下の２つである。１つは、画像読取装置１０１内の雰囲気温度が、動作中最も昇温が進んだ時に約６０［℃］程度であり、両近似式の誤差が少ないためである。もう１つは、Tetensの式を変形することで、容易に飽和水蒸気圧から露点温度ｔ３を算出することが可能であるためである。Tetensの近似式（式（２））から算出した飽和水蒸気圧に対して、例えば、相対湿度６０［％］の水蒸気圧が結露に至る露点温度ｔ３を算出する場合、Tetensの近似式を変形した以下の式（４）により、算出可能である。
ｔ３＝２３７．３×log10（６．１１／ｅ1（ｔ））／（log10（ｅ1（ｔ）／６．１１）−７．５）    …（４）
ｅ1（ｔ）：水蒸気圧
【００５０】
図９は、飽和水蒸気圧曲線の例示図である。飽和水蒸気圧曲線９０３を用いて、第１温度検出部４０８及び湿度検出部４０９の検出結果に基づいた第１除湿ヒータ１０４及び第２除湿ヒータ１０５の制御方法について説明する。飽和水蒸気圧曲線９０３は、Tetensの近似式（式（２））から算出される。ここでは、第１温度検出部４０８の検出結果により、画像形成装置４１８周辺の温度が３０［℃］であると検出されたとする。湿度検出部４０９の検出結果により、画像形成装置４１８周辺の相対湿度が６０［％］であると検出されたとする。
【００５１】
Ａ点は、飽和水蒸気圧曲線９０３から求められる、気温３０［℃］のときの飽和水蒸気圧（４２．４４［ｈＰａ］）である。Ｂ点は、気温３０［℃］のときの飽和水蒸気圧（Ａ点）に対する相対湿度６０［％］の水蒸気圧（２５．４６［ｈＰａ］）を示す。Ｂ点の水蒸気圧が矢印９０４で示すＣ点に推移した場合、即ち、水蒸気圧が変化しないで、気温が２１．３８［℃］まで下がった場合、Ｃ点が、この気温における飽和水蒸気圧となる。このときの温度が露点温度ｔ３となる。Ａ点の飽和水蒸気圧とＢ点の水蒸気圧は、Tetensの近似式と相対湿度から算出される。Ｃ点の温度は、式（４）により算出される。
【００５２】
ここで、更に画像形成装置４１８周辺の気温が下がり、Ｃ点から矢印９０５で示すＤ点（１０［℃］）に推移した場合、矢印９０６で示したＥ点とＤ点との差分の水蒸気圧は、１８．０９［ｈＰａ］（＝２５．４６−７．３７）となる。２５．４６［ｈＰａ］は、Ｂ点（Ｄ点）の水蒸気圧である。７．３７［ｈＰａ］はＥ点の水蒸気圧であり、気温１０［℃］、相対湿度６０［％］の水蒸気圧を式（２）から求めた値である。
【００５３】
飽和水蒸気量は、式（１）より、以下のように表される。
ａ（２１．３８℃）−ａ（１０℃）＝１８．７６−９．４１＝９．３５［ｇ］
１８．７６［ｇ］：Ｃ点（Ｄ点）の飽和水蒸気量を式（１）で算出した値
９．４１［ｇ］：飽和水蒸気圧曲線９０３における気温１０［℃］、水蒸気圧７．３７［ｈＰａ］の飽和水蒸気量を式（１）で算出した値
【００５４】
このように、結露する水分量が算出される。上記の例では、気温が３０［℃］（Ｂ点）から１０［℃］（Ｄ点）に下がることで、１ｍ3あたり９．３５［ｇ］の水分が結露する。
【００５５】
（結露防止処理）
以上のような結露が発生するプロセスでは、結露発生の要因が気温の低下である。気温が低下すると、画像形成装置４１８の筐体、画像読取装置１０１、及び原稿搬送装置４１７を含む装置全体が冷え切る。この場合、第１除湿ヒータ１０４及び第２除湿ヒータ１０５が発熱することで、画像読取装置１０１が部分的に暖められる。第１除湿ヒータ１０４及び第２除湿ヒータ１０５がオフになり且つ空調制御によって急激に室内の温度が上昇すると、画像読取装置１０１の機内温度が下がることがある。この場合、画像読取装置１０１の機内温度を第２温度検出部４１３により逐次検出することで、以下に説明するような制御により、結露の発生が防止可能である。
【００５６】
画像処理部４０２は、予め、第１温度検出部４０８及び湿度検出部４０９の検出結果から得られる水蒸気圧から露点温度ｔ３を算出する。画像処理部４０２は、画像読取装置１０１内部に設けられた第２温度検出部４１３による検出温度（機内温度）をモニタし、露点温度ｔ３と画像読取装置１０１の機内温度とを比較する。検出した機内温度が低下して露点温度ｔ３に近づいた場合、画像処理部４０２は、結露が発生する前にＤＣコントローラ４０６により第１除湿ヒータ１０４及び第２除湿ヒータ１０５に給電して、温調制御を行う。これにより、画像読取装置１０１の機内温度は改めて上昇を開始し、結露が発生し難い温度まで制御される。
【００５７】
第１除湿ヒータ１０４及び第２除湿ヒータ１０５に電力を供給するタイミングは、例えば、機内温度と露点温度ｔ３との温度差が所定温度差以下（本実施形態では２［℃］以下）になるタイミングである。この理由は、第１除湿ヒータ１０４及び第２除湿ヒータ１０５が画像読取装置１０１に外気が入り込む箇所に配置されていること、及び第１除湿ヒータ１０４及び第２除湿ヒータ１０５による温度上昇の応答性が高いこと、が挙げられる。但し、画像読取装置１０１の機内温度の低下が著しく早いことを検出した場合、画像処理部４０２は、温度差が５［℃］になったタイミングに、温調制御の開始タイミングを変更してもよい。
【００５８】
図１０は、このような結露防止処理を表すフローチャートである。この処理は、メインスイッチ５０４がオフされて第１除湿ヒータ１０４及び第２除湿ヒータ１０５が発熱している状態から、メインスイッチがオンされるタイミングで開始される。ＤＣコントローラ４０６は、メインスイッチ５０４がオンされると（Ｓ１００１）、第２リレー５０７を遮断状態にして、第１除湿ヒータ１０４及び第２除湿ヒータ１０５への給電を停止する。これにより第１除湿ヒータ１０４及び第２除湿ヒータ１０５がオフになり、発熱が停止する（Ｓ１００２）。
【００５９】
システムコントローラ４０１は、第１温度検出部４０８の検出結果をＤＣコントローラ４０６を介して取得し、周囲の機外温度ｔ１を検出する（Ｓ１００３）。システムコントローラ４０１は、検出した機外温度ｔ１を画像処理部４０２のＲＡＭ４２１に格納する。画像処理部４０２は、ＲＡＭ４２１に格納された機外温度ｔ１が所定温度未満であるか否かを判定する（Ｓ１００４）。所定温度は、結露が発生する可能性のある温度である。画像処理部４０２は、機外温度ｔ１が高ければ、そもそも結露が発生する可能性が低いためにこの判定を行う。本実施形態では、画像処理部４０２は、機外温度ｔ１が１０［℃］未満であるか否かを判定する。機外温度ｔ１が１０［℃］より高い場合（Ｓ１００４：N）、画像処理部４０２は、この処理を終了する。
【００６０】
機外温度ｔ１が１０［℃］未満である場合（Ｓ１００４：Y）、画像処理部４０２は、除湿タイマをスタートする（Ｓ１００５）。除湿タイマは、結露が発生した場合に、その影響が無くなるまでの時間を計測するためのタイマである。除湿タイマのスタート後に画像処理部４０２は、温度、湿度監視制御処理を行う（Ｓ１００６）。画像処理部４０２は、これにより温度及び湿度を検出し、露点温度ｔ３を算出する。Ｓ１００６の処理は、１０分間隔で行われる。Ｓ１００６の処理の詳細については後述する。
【００６１】
画像処理部４０２は、原稿を走査して読取処理を実行するか否かを判断する（Ｓ１００７）。原稿走査がリクエストされている場合（Ｓ１００７：Y）、画像処理部４０２は、原稿走査処理を実行する（Ｓ１００８）。Ｓ１００８の処理の詳細については後述する。
【００６２】
原稿走査処理の終了後、或いは原稿走査がリクエストされていない場合（Ｓ１００７：N）、画像処理部４０２は、除湿タイマの計測時間が所定の既定時間以上になったか否かを確認する（Ｓ１００９）。所定の既定時間とは、除湿ヒータを持たない画像形成装置内において、発生した結露の影響を受けなくなる時間である。例えば既定時間は、３〜４時間に設定される。
【００６３】
既定時間以上になっていない場合（Ｓ１００９：N）、画像処理部４０２は、Ｓ１００６以降の処理を繰り返し実行する。既定時間以上になった場合（Ｓ１００９：Y）、画像処理部４０２は処理を終了する。
【００６４】
図１０（ｂ）は、Ｓ１００６の温度、湿度監視制御処理を表すフローチャートである。
画像処理部４０２は、湿度検出部４０９の検出結果をＤＣコントローラ４０６を介して取得し、周囲の湿度ｈ１（相対湿度）を検出する（Ｓ１０２１）。画像処理部４０２は、Ｓ１００３の処理で検出した機外温度ｔ１及びＳ１０２１の処理で検出した湿度ｈ１をＲＡＭ４２１に記憶する（Ｓ１０２２）。
【００６５】
画像処理部４０２は、キャリッジ２０１に内蔵される第２温度検出部４１３の検出結果に基づいて、画像読取装置１０１の機内温度ｔ２を検出する（Ｓ１０２３）。画像処理部４０２は、検出した機内温度ｔ２をＲＡＭ４２１に記憶する（Ｓ１０２４）。画像処理部４０２は、機外温度ｔ１、機外の湿度ｈ１、及び画像読取装置１０１の機内温度ｔ２に基づいて、外気が画像読取装置１０１の機内に流入した際の露点温度ｔ３を算出する（Ｓ１０２５）。画像処理部４０２は、算出した露点温度ｔ３をＲＡＭ４２１に記憶する（Ｓ１０２６）。
【００６６】
画像処理部４０２は、露点温度ｔ３と画像読取装置１０１の機内温度ｔ２とを比較し、温度差が２［℃］以内であるか否かを判断する（Ｓ１０２７）。温度差が２［℃］より大きい場合（Ｓ１０２７：N）、画像処理部４０２は、温度、湿度監視制御処理を終了する。機内温度ｔ２が急激に下がり、露点温度ｔ３に対しての温度差が２［℃］以内になった場合（Ｓ１０２７：Y）、画像処理部４０２は、第１除湿ヒータ１０４及び第２除湿ヒータ１０５をオンにして画像読取装置１０１内の加熱を開始する（Ｓ１０２８）。画像処理部４０２は、ＤＣコントローラ４０６に第２リレー５０７を導通させることで、第１除湿ヒータ１０４及び第２除湿ヒータ１０５に給電を開始してオンにする。第１除湿ヒータ１０４及び第２除湿ヒータ１０５をオンにすると、画像処理部４０２は、温度、湿度監視制御処理を終了する。
【００６７】
図１０（ｃ）は、Ｓ１００８の原稿走査処理を表すフローチャートである。
画像処理部４０２は、原稿走査処理を開始すると、第１除湿ヒータ１０４及び第２除湿ヒータ１０５が給電されているか否かを判断する（Ｓ１０４１）。画像処理部４０２は、Ｓ１０２８の処理でＤＣコントローラ４０６に第２リレー５０７を導通させたか否かにより、この判断を行う。第１除湿ヒータ１０４及び第２除湿ヒータ１０５が給電されてオンになっている場合（Ｓ１０４１：Y）、画像処理部４０２は、ＤＣコントローラ４０６に第２リレー５０７を遮断させる（Ｓ１０４２）。これにより第１除湿ヒータ１０４及び第２除湿ヒータ１０５は、給電が終了してオフになる。
【００６８】
第１除湿ヒータ１０４及び第２除湿ヒータ１０５がオフの場合（Ｓ１０４１：N）、或いは第１除湿ヒータ１０４及び第２除湿ヒータ１０５をオフにした後に、画像処理部４０２は、キャリッジ２０１による原稿の走査を実行する（Ｓ１０４３）。なお、詳細な説明を省略するが、通常、原稿走査は、原稿走査の開始前にシェーディング白板を走査し、走査結果に基づいたシェーディング補正を行いながら行われる。画像処理部４０２は、原稿の走査が完了するまで原稿走査を実行する（Ｓ１０４４：N、Ｓ１０４３）。
【００６９】
原稿の走査が完了すると（Ｓ１０４４：Y）、画像処理部４０２は、Ｓ１０４１の処理で第１除湿ヒータ１０４及び第２除湿ヒータ１０５がオンであったかを判断する（Ｓ１０４５）。Ｓ１０４１の処理で第１除湿ヒータ１０４及び第２除湿ヒータ１０５がオンであった場合（Ｓ１０４５：Y）、画像処理部４０２は、第１除湿ヒータ１０４及び第２除湿ヒータ１０５を再度オンにする（Ｓ１０４６）。画像処理部４０２は、ＤＣコントローラ４０６に第２リレー５０７を導通させることで、第１除湿ヒータ１０４及び第２除湿ヒータ１０５に給電を開始してオンにする。画像処理部４０２は、第１除湿ヒータ１０４及び第２除湿ヒータ１０５をオンにして、原稿走査処理を終了する。Ｓ１０４１の処理で第１除湿ヒータ１０４及び第２除湿ヒータ１０５がオフであった場合（Ｓ１０４５：N）、画像処理部４０２は、第１除湿ヒータ１０４及び第２除湿ヒータ１０５をオンにせずに原稿走査処理を終了する。
【００７０】
以上のような結露防止処理は、概ね以下の通りである。
第１温度検出部４０８及び湿度検出部４０９の検出結果から得られた機外温度ｔ１及び機外湿度（相対湿度）ｈ１は、画像処理部４０２のＲＡＭ４２１に記憶される。第２温度検出部４１３の検出結果から得られた画像読取装置１０１の機内温度ｔ２も、ＲＡＭ４２１に記憶される。機外温度ｔ１、相対湿度ｈ１、及び機内温度ｔ２から得られる水蒸気圧及び露点温度ｔ３がＲＡＭ４２１に記憶される。機外温度ｔ１、相対湿度ｈ１、及び機内温度ｔ２は、所定の時間間隔、例えば１０分間隔で検出して記憶される。
【００７１】
露点温度ｔ３と画像読取装置１０１の機内温度ｔ２との温度差が２［℃］以下になった場合、画像読取装置１０１内の第１除湿ヒータ１０４及び第２除湿ヒータ１０５が給電されて発熱する。第１除湿ヒータ１０４及び第２除湿ヒータ１０５への給電中に画像読取装置１０１の原稿走査のリクエストがある場合、第１除湿ヒータ１０４及び第２除湿ヒータ１０５への給電が停止される。原稿走査の終了後に、第１除湿ヒータ１０４及び第２除湿ヒータ１０５への給電が再開される。
【００７２】
メインスイッチ５０４がオンされてから所定時間を経過した場合、第１除湿ヒータ１０４及び第２除湿ヒータ１０５への給電制御が停止され、結露防止処理が終了する。所定時間は、メインスイッチ５０４がオンされてから、結露が発生した場合にその影響が無くなるまでに相当する時間であり、例えば３〜４時間である。
【００７３】
図１１は、画像読取装置の他の構成例示図である。この画像読取装置１０１ａは、キャリッジ２０１を備えず、キャリッジ２０１の機能を分散した構成で実現する。画像読取装置１０１ａは、原稿に光を照射するために、照明部２０５及び第１ミラー１１０１を搭載した第１ユニット１１０２と、第２ミラー１１０３及び第３ミラー１１０４を搭載した第２ユニット１１０５と、を備える。画像読取装置１０１ａは、反射光を受光するために、複数のミラー及び集光レンズ２０４を含む光学系と、光学系により導かれた反射光が結像される、光電変換基板２０２に実装された光電変換部２０３を備える。
【００７４】
このような構成の画像読取装置１０１ａであっても、結露が発生し得る箇所は、ミラー、集光レンズ等であり、上記のような処理により、結露発生のリスクを回避することができる。なお、画像形成装置４１８内部の露光器等も防塵硝子などで密閉された場所に設けられて、結露が発生する可能性がある。これらについても、上記のような処理によって、結露発生のリスクを回避することができる。
【００７５】
以上のような本実施形態の結露防止処理では、装置の機外温度と機外の相対湿度とから飽和水蒸気圧を算出し、算出した飽和水蒸気圧と相対湿度とから、機外温度における水蒸気圧を算出する。算出した水蒸気圧を含む外気が結露に至る露点温度ｔ３も算出できるため、機内温度が検出された画像読取装置１０１に、水蒸気圧が算出された外気が流入することで、結露が発生し得るかどうかの判断が可能である。結露が発生し得る環境に近づいたことを検出すると、第１除湿ヒータ１０４及び第２除湿ヒータ１０５に給電することで画像読取装置１０１の機内温度を高める。そのために結露発生のリスクを回避することができる。
【図１】
2019124824.tif 000003
【図２】
2019124824.tif 000004
【図３】
2019124824.tif 000005
【図４】
2019124824.tif 000006
【図５】
2019124824.tif 000007
【図６】
2019124824.tif 000008
【図７】
2019124824.tif 000009
【図８】
2019124824.tif 000010
【図９】
2019124824.tif 000011
【図１０】
2019124824.tif 000012
【図１１】
2019124824.tif 000013